(57)【特許請求の範囲】
【請求項１】
給水源側の１次側通水路と吐水側の２次側通水路との間の通水路を止水状態又は通水状態に切り替え、上記２次側通水路に流出する水の圧力を調整する調圧機能付き止水栓装置であって、
通水路が形成された止水栓装置本体と、
この止水栓装置本体に対して移動可能に取り付けられている調圧弁体と、この調圧弁体と接続された調圧ばねと、を備えた調圧弁部材であって、上記調圧弁体は、上記２次側通水路と連通する受圧部側通水路から水圧を受ける受圧部を備え、上記調圧弁体が上記調圧ばねの付勢力と上記受圧部にかかる圧力とをバランスするように移動する上記調圧弁部材と、
上記調圧弁体の外周を囲み、上記調圧弁体の軸線方向の移動をガイドするガイド部材と、を有し、
上記ガイド部材は、その内周が凹まされた凹部と、上記凹部内に配置された環状部材とを備え、上記凹部及び上記環状部材により、上記２次側通水路と上記受圧部側通水路との間を通水可能な流路が、全周の一部に形成され、それにより、上記２次側通水路の水圧が上昇される場合に、上記通水可能な流路を介して上記受圧部が受ける水圧の上昇が抑制されるように構成されていることを特徴とする調圧機能付き止水栓装置。
【請求項２】
上記調圧弁部材の上記調圧弁体は、その端部において周方向に張り出したフランジを有する請求項１に記載の調圧機能付き止水栓装置。
【請求項３】
請求項１または２に記載の調圧機能付き止水栓装置を備えた水栓装置。
【請求項４】
請求項１または２に記載の調圧機能付き止水栓装置を備えた湯水混合水栓装置。
【発明の詳細な説明】
【技術分野】
【０００１】
本発明は、調圧機能付き止水栓装置、及び、それを備えた水栓装置及び湯水混合水栓装置に係わり、特に、通水路を止水状態又は通水状態に切り替え、流出する水の圧力を調整する調圧機能付き止水栓装置、及び、それを備えた水栓装置及び湯水混合水栓装置に関する。
【背景技術】
【０００２】
従来から、水栓装置、特に、洗面所、浴室、キッチン等で用いられ、電気温水器等の給湯システムの給湯源から供給される湯を水と混合し、サーモスタット等の温度調節装置によって所定温度に調節した湯水を開閉弁の開閉により吐水状態又は止水状態に切り替える湯水混合水栓装置の上流側の通水路に設けられた止水栓に調圧機能を付加することは、止水栓自体の調節を行う負担を減らすことができるという長所や、通水路から湯水混合水栓装置へ流出する水の圧力を安定化させて湯水混合水栓装置から吐水される湯水の温度を安定化させることができるという長所、或いは、通水路内のウォーターハンマー現象による異音を低減できるという長所等が知られている。
【０００３】
また、従来の止水栓と調圧弁を組み込んだ水栓装置として、例えば、特許文献１に記載されているように、湯水混合水栓装置本体の上流側の通水路を形成する水栓脚部に互いに分離可能な止水栓と調圧弁が組み込まれ、調圧弁の保持部材と調圧弁との間に、通水状態の２次側通水路内の水が流入可能な調圧用流入路が形成され、この調圧用流入路内の水圧を受圧面が受けて、調圧弁が移動されるものが知られている。
【０００４】
さらに、従来の止水栓と調圧弁を組み込んだ水栓装置として、例えば、特許文献２に記載されているように、地中の給水管のメーター手前に設置される止水栓に減圧弁が並列して配置され、調圧パッキンと調圧弁座の間を通過した二次水が流入する二次室内の圧力が高くなると調圧パッキンが調圧ばねの力に打ち勝って調圧弁座に向かって押圧されるものが知られている。
【０００５】
また、特許文献３には、水素ガス供給装置のガス通路を開閉する開閉弁自体に調圧弁の機能を持たせた装置が記載されており、この装置では、水素ガスを通すガス通路が、入口路からガス通路の正面に対向する減圧部材の周囲の減圧弁室まで延び、減圧弁室の下流側に受圧室が形成されている。受圧室の圧力が上昇すると、ピストン部材先端の減圧部材が開弁ばねの弾圧力に抗して押圧され、減圧弁座へ近接する。これにより対向する入口路からの水素ガスの流入が制限されて、受圧室内の水素ガスの圧力が低下されるようになっている。
【先行技術文献】
【特許文献】
【０００６】
【特許文献１】特開２００６−２２６４９７号公報
【特許文献２】特開２００１−６５７０８号公報
【特許文献３】特開２００８−１５１１５７号公報
【発明の概要】
【発明が解決しようとする課題】
【０００７】
しかしながら、上述した特許文献１に記載されている水栓装置では、２次側通水路の圧力が急激に上昇した場合、水が２次側通水路から調圧用流入路を通って受圧面が接する空間に流入し、調圧弁の受圧面が急激に受圧されて、調圧弁体が一気に動作し、調圧弁体が過度に移動して中間部材の弁座と衝突して衝突音を生じるという問題がある。
【０００８】
また、上述した特許文献２に記載されている水栓装置では、２次室内の圧力が急激に上昇した場合、２次圧力によって調圧パッキンが調圧弁座に急激に押圧されて、調圧パッキンが過度に移動して調圧弁座に衝突して衝突音を生じるという問題がある。
【０００９】
さらに、上述した特許文献３に記載されている装置では、受圧室内の圧力が急激に上昇した場合、減圧部材が急激に受圧されて、減圧部材が一気に動作し、減圧部材が過度に移動して減圧弁座と衝突して衝突音を生じるという問題がある。
【００１０】
そこで、本発明は、上述した従来技術の問題を解決するためになされたものであり、調圧弁体が急激に動作するのを抑制し、調圧弁体が過度に移動して止水栓装置本体と衝突して衝突音を生じるのを抑制することができる調圧機能付き止水栓装置、及び、それを備えた水栓装置及び湯水混合水栓装置を提供することを目的としている。
【課題を解決するための手段】
【００１１】
上記の目的を達成するために、本発明は、給水源側の１次側通水路と吐水側の２次側通水路との間の通水路を止水状態又は通水状態に切り替え、２次側通水路に流出する水の圧力を調整する調圧機能付き止水栓装置であって、通水路が形成された止水栓装置本体と、この止水栓装置本体に対して移動可能に取り付けられている調圧弁体と、この調圧弁体と接続された調圧ばねと、を備えた調圧弁部材であって、調圧弁体は、２次側通水路と連通する受圧部側通水路から水圧を受ける受圧部を備え、調圧弁体が調圧ばねの付勢力と受圧部にかかる圧力とをバランスするように移動する調圧弁部材と、調圧弁体の外周を囲み、調圧弁体の軸線方向の移動をガイドするガイド部材と、を有し、ガイド部材は、その内周が凹まされた凹部と、凹部内に配置された環状部材とを備え、凹部及び環状部材により、２次側通水路と受圧部側通水路との間を通水可能な流路が、全周の一部に形成され、それにより、２次側通水路の水圧が上昇される場合に、通水可能な流路を介して受圧部が受ける水圧の上昇が抑制されるように構成されている。
このように構成された本発明においては、ガイド部材の凹部内に配置された環状部材により、凹部及び環状部材により、吐水側の２次側通水路と受圧部が水圧を受ける受圧部側通水路との間を通水可能な流路が、全周の一部に形成され、それにより、２次側通水路内の水圧が上昇して、水が２次側通水路から受圧部に対して圧力をかける受圧部側通水路に流入するときに、水が全周の一部に形成された上記流路を通過するのに抵抗を受け、通水可能な流路を介して受圧部が受ける水圧の上昇が抑制される。従って、水の急激な移動が抑制され、水が受圧部に対して圧力をかける受圧部側通水路に急激に流入して、調圧弁体の受圧部が前記水の圧力を受圧し、調圧弁体が急激に動作するのを抑制し、調圧弁体が過度に移動して止水栓装置本体と衝突して衝突音を生じるのを抑制することができる。
さらに、環状部材はガイド部材の凹部内に配置されるので、環状部材が、水が全周の一部に形成された流路を通過するときに全周に均一でない水圧を受け、この受けた圧力をガイド部材に伝え、調圧弁体には伝えないので、調圧弁体が、環状部材から力を受けて、調圧弁体自身が傾き、調圧弁体の摺動の際に振動を引き起こすなどの悪影響を抑制することができる。
【００１２】
本発明において、好ましくは、調圧弁部材の調圧弁体は、その端部において周方向に張り出したフランジを有する。
このように構成された本発明においては、調圧弁体が移動する際に、調圧弁体の端部において周方向に張り出したフランジによって、流体抵抗を発生させることが可能になり、調圧弁体が急激に動作するのをさらに抑制させることが可能となる。
【００１３】
本発明において、好ましくは、本発明の調圧機能付き止水栓装置を備えた水栓装置が提供される。
このように構成された本発明においては、調圧機能付き止水栓装置を備えた水栓装置において、調圧弁体が急激な動作で過度に移動して止水栓装置本体と衝突して衝突音を生じるウォーターハンマー現象の低減を行うことができる。
【００１４】
本発明において、好ましくは、本発明の調圧機能付き止水栓装置を備えた湯水混合水栓装置が提供される。
このように構成された本発明においては、湯水混合水栓に供給される湯と水のそれぞれの供給圧力が大きく異なる場合であっても、調圧機能付き止水栓装置の調圧弁を通過する水の圧力がほぼ一定に調整されるため、湯水混合水栓装置に供給された湯水が所定の設定温度とほぼ等しい温度に調節され、湯水混合水栓装置の吐水部から適温な湯水を吐水することができる。
【発明の効果】
【００１５】
本発明の調圧機能付き止水栓装置、及び、それを備えた水栓装置及び湯水混合水栓装置によれば、調圧弁体が急激に動作するのを抑制し、調圧弁体が過度に移動して止水栓装置本体と衝突して衝突音を生じるのを抑制することができる。
【図面の簡単な説明】
【００１６】
【図１】本発明の第１実施形態による調圧機能付き止水栓装置を備えた水栓装置（湯水混合水栓装置）を示す概略斜視図である。
【図２】本発明の第１実施形態による調圧機能付き止水栓装置の分解斜視図である。
【図３】本発明の第１実施形態による調圧機能付き止水栓装置を備えた水栓装置の水側脚部材を示す側面図である。
【図４】本発明の第１実施形態による止水状態の調圧機能付き止水栓装置を備えた水栓装置の水側脚部材の平面断面図である。
【図５】本発明の第１実施形態による中圧時の通水状態の調圧機能付き止水栓装置を備えた水栓装置の水側脚部材の部分を拡大した部分拡大断面図である。
【図６】図３の水側脚部材のVI−VI断面を示す断面図である。
【図７】本発明の第１実施形態による調圧機能付き止水栓装置の止水栓ガイドのC型リングを正面側斜め上方から見た斜視図である。
【図８】本発明の第１実施形態による高圧時の通水状態の調圧機能付き止水栓装置を備えた水栓装置の水側脚部材の部分を拡大した部分拡大断面図である。
【図９】本発明の第２実施形態による低圧状態の調圧機能付き止水栓装置を備えた水栓装置の水側脚部材の平面断面図である。
【図１０】本発明の第２実施形態による調圧機能付き止水栓装置の止水栓ガイドの円環部材を正面側斜め上方から見た斜視図である。
【図１１】本発明の第３実施形態による低圧状態の調圧機能付き止水栓装置を備えた水栓装置の水側脚部材の平面断面図である。
【図１２】本発明の第３実施形態による調圧機能付き止水栓装置の止水栓ガイドの溝部を後方側斜め上方から見た斜視図である。
【図１３】本発明の第３実施形態による調圧機能付き止水栓装置の止水栓ガイドの環状部材を後方側から見た平面図である。
【図１４】本発明の第４実施形態による調圧機能付き止水栓装置を備えた水栓装置の水側脚部材の一部の分解斜視図である。
【図１５】本発明の第４実施形態による調圧機能付き止水栓装置を備えた水栓装置の水側脚部材の一部の部分概略斜視図である。
【図１６】本発明の第４実施形態による中圧時の通水状態の調圧機能付き止水栓装置を備えた水栓装置の水側脚部材の部分を拡大した部分拡大断面図である。
【図１７】本発明の第４実施形態による調圧機能付き止水栓装置の止水栓弁座部材を正面側斜め下方から見た斜視図である。
【図１８】本発明の第４実施形態による調圧機能付き止水栓装置の止水栓弁座部材の側面図である。
【図１９】図１８の止水栓弁座部材のXIX−XIX断面を示す断面図である。
【図２０】本発明の第４実施形態による高圧時の通水状態の調圧機能付き止水栓装置を備えた水栓装置の水側脚部材の部分を拡大した部分拡大断面図である。
【発明を実施するための形態】
【００１７】
以下、添付図面を参照して本発明の調圧機能付き止水栓装置、及び、調圧機能付き止水栓装置を備えた水栓装置及び湯水混合水栓装置の実施形態について説明する。
図１は、本発明の第１実施形態による調圧機能付き止水栓装置を備えた水栓装置（湯水混合水栓装置）を示す概略斜視図である。
図１に示すように、本発明の第１実施形態による調圧機能付き止水栓装置１を備えた水栓装置である湯水混合水栓装置２は、湯水混合水栓装置本体４を有し、湯水混合水栓装置本体４は、その背面側に突出する湯側流入部６及び水側流入部８、先端部に吐水口１０ａが形成されたスパウト１０、シャワーホース１２、温度調節装置１４、スパウト１０の吐水口１０ａによるスパウト吐水又はシャワーホース１２によるシャワー吐水に切り替え可能な流量調整機能を備えたスパウト／シャワー切替装置１６を備えている。このような温度調節装置１４を備えた湯水混合水栓装置２は、いわゆる「サーモスタット混合栓」と呼ばれている。
【００１８】
また、湯水混合水栓装置２は、湯水混合水栓装置本体４の湯側流入部６及び水側流入部８のそれぞれの背面側（上流側）に接続され且つ調圧機能付き止水栓装置１がそれぞれ取り付けられる湯側脚部材１８及び水側脚部材２０をそれぞれ備え、湯側脚部材１８及び水側脚部材２０のそれぞれの内部には、湯側通水路２２及び水側通水路２４がそれぞれ形成されている。
なお、本実施形態では、例として、調圧機能付き止水栓装置１を湯水混合水栓装置２の湯側脚部材１８及び水側脚部材２０の双方に適用させる形態について説明するが、このような形態に限定されず、湯側脚部材１８については、調圧機能を備えずに止水機能のみを備えた脚部材となるように構成し、水側脚部材２０のみに本実施形態の調圧機能付き止水栓装置１を適用させる形態であってもよい。また、このような形態とは逆に、湯側脚部材１８のみに本実施形態の調圧機能付き止水栓装置１を適用させてもよい。
また、湯側脚部材１８及び水側脚部材２０の構成については同一であるため、以下、湯側脚部材１８については説明を省略し、水側脚部材２０のみについて具体的に説明する。
【００１９】
つぎに、図１〜図５及び図８を参照して、本実施形態の調圧機能付き止水栓装置１の詳細と、この調圧機能付き止水栓装置１が組み込まれた湯水混合水栓装置２の水側脚部材２０の詳細について具体的に説明する。
図２は本発明の第１実施形態による調圧機能付き止水栓装置の分解斜視図であり、図３は本発明の第１実施形態による調圧機能付き止水栓装置を備えた水栓装置の水側脚部材を示す側面図であり、図４は本発明の第１実施形態による止水状態の調圧機能付き止水栓装置を備えた水栓装置の水側脚部材の平面断面図であり、図５は本発明の第１実施形態による中圧時の通水状態の調圧機能付き止水栓装置を備えた水栓装置の水側脚部材の部分を拡大した部分拡大断面図である。また、図８は本発明の第１実施形態による高圧時の通水状態の調圧機能付き止水栓装置を備えた水栓装置の水側脚部材の部分を拡大した部分拡大断面図である。
【００２０】
図２〜図５に示すように、水側脚部材２０の水側通水路２４は、水道等の給水源（図示せず）に接続される配管（図示せず）に接続される水側脚部材２０の上流側接続部２６に形成された入口２４ａから、湯水混合水栓装置本体４の水側流入部８に接続される水側脚部材２０の下流側接続部２８に形成された出口２４ｂまで、水側脚部材２０の内部にクランク状に形成されている。
また、この水側通水路２４は、その入口２４ａから調圧機能付き止水栓装置１が取り付けられる取付室２４ｃまで延びる１次側通水路３０と、水側通水路２４の取付室２４ｃから下流側に向って水側脚部材２０の正面２０ａ及び背面２０ｂとほぼ平行に所定距離に延びた後、前方の出口２４ｂに向って延びる２次側通水路３２とを備えている。
【００２１】
つぎに、図２に示すように、調圧機能付き止水栓装置１は、上流側から下流側にかけて止水栓装置本体３４、調圧弁３６及び止水栓ガイド部材３８を備えている。
【００２２】
図２、図４及び図５に示すように、止水栓装置本体３４は、水側通水路２４の取付室２４ｃを形成する水側脚部材２０の止水栓装置本体部３９を備え、この止水栓装置本体部３９に取り付けられるようになっている。また、止水栓装置本体３４は、水側通水路２４の取付室２４ｃの流入口２４ｄ近傍から上流側の１次側通水路３０の内周に沿って形成された止水栓装置本体部の雌ねじ部に螺合される雄ねじ部４０を備えている。
さらに、止水栓装置本体３４は、前後方向に延びる回転軸部４２を備え、この回転軸部４２の後端部４２ａは、雄ねじ部４０の前面４０ａの一部から前方へ突出する柱部４０ｂに一体的に形成されている。さらに、雄ねじ部４０の内周面４０ｃは、水側通水路２４の取付室２４ｃの流入口２４ｄが開放された通水状態のときに、１次側通水路３０と取付室２４ｃとを連通させる通水路を形成している。
【００２３】
一方、回転軸部４２の前端部は、回転軸部４２について調圧機能付き止水栓装置１の長手方向の中心軸線Ｃの軸線回りに回転操作可能な操作部４２ｂとなっている。この操作部４２ｂには、キー溝４２ｃが形成され、このキー溝４２ｃにマイナスドライバー等の工具（図示せず）を嵌め込んで回すことにより、止水栓装置本体３４の雄ねじ部４０及び回転軸部４２について中心軸線Ｃの軸線回りの回転操作を行うことができるようになっている。
【００２４】
さらに、止水栓装置本体３４は、回転軸部４２の後端部４２ａから半径方向外側に突出するように形成された止水弁体部４４を備え、この止水弁体部４４は、止水栓装置本体３４の操作部４２ｂによる回転操作が行われると、回転軸部４２の軸回りの回転に応じて水側通水路２４の取付室２４ｃの流入口２４ｄに対して軸方向に相対移動することにより、流入口２４ｄを開閉することができるようになっている。
【００２５】
また、止水栓装置本体３４の止水弁体部４４は、前後方向に所定間隔をおいて半径方向外側に突出するように形成された前側支持突起４４ａ及び後側支持突起４４ｂと、これらの前側支持突起４４ａと後側支持突起４４ｂとの間に取り付けられて保持される円環状のシール部材であるパッキン４６とを備えている。パッキン４６は、ゴム材料又は樹脂材料、或いはこれらの複合材料によって形成され、図４に示すように、止水栓装置本体３４の止水弁体部４４の後側支持突起４４ｂの後端部（回転軸部４２の後端部４２ａ）及びパッキン４６の後端面４６ａが水側通水路２４の取付室２４ｃの流入口２４ｄに当接して密着しているときには、流入口２４ｄが弁座となって水側通水路２４の１次側通水路３０と２次側通水路３２とが止水された状態となるようになっている。
一方、図５及び図８に示すように、止水栓装置本体３４の止水弁体部４４の後側支持突起４４ｂ及びパッキン４６が水側通水路２４の取付室２４ｃの流入口２４ｄに当接していないときには、水側通水路２４の１次側通水路３０と２次側通水路３２とが通水された状態となり、後述する調圧弁３６の調圧弁体４８がパッキン４６の外周面４６ｂに対して軸方向に摺動可能となり且つ水側通水路２４の取付室２４ｃ内に流入した水が調圧弁体４８の内部の後述する調圧ばね５０のばね室５２内に浸入しないように、パッキン４６の外周面４６ｂが調圧弁体４８の内周面４８ａとの隙間を密封するようになっている。
【００２６】
調圧弁３６は、止水栓装置本体３４の回転軸部４２に対して軸方向に移動可能に取り付けられた調圧弁体４８と、この調圧弁体４８を軸方向外側（図５の前側方向）に付勢する調圧ばね５０とを備えている。なお、「軸方向外側」とは、止水栓装置本体３４が流入口２４ｄを開放する方向、すなわち、止水栓装置本体３４の回転軸部４２の軸方向において、止水栓装置本体部３９から離間する方向を意味する。
調圧弁体４８は、止水栓装置本体３４の回転軸部４２及び止水弁体部４４のそれぞれの外周を取り囲むようにほぼ筒状に形成され、その内部に設けられた調圧ばね５０が軸方向に伸縮して作動するためのばね室５２を形成し、調圧弁体４８の後端側口縁部４８ｄにおいては周方向に張り出した（半径方向外側に突出する）フランジ４８ｆが、円環の全周に渡って形成されている。このフランジの後面が、調圧弁体が後方移動する際に移動する向きと逆の抵抗力を受けるようになっている。
調圧ばね５０は、軸方向の圧縮力により軸方向に伸縮可能な圧縮コイルばねであり、調圧弁体４８と接続され、具体的には、予め所定の圧縮荷重（予荷重）を与えられた状態で調圧ばね５０の後端部５０ａが止水栓装置本体３４の止水弁体部４４の前側支持突起４４ａに当接し、調圧ばね５０の前端部５０ｂが調圧弁体４８の肩部４８ｂの内面に当接している。
【００２７】
また、図５及び図８に示すように、調圧弁体４８の肩部４８ｂの前面は、止水栓装置本体３４の止水弁体部４４が水側通水路２４の取付室２４ｃの流入口２４ｄを開放した通水状態のときに、調圧弁体４８を止水栓装置本体３４の回転軸部４２に対して軸方向内側（図５の後側方向）に移動させる水圧Ｐ１を外側から軸方向内側に受ける受圧部４８ｃとなっている。
例えば、調圧弁体４８の受圧部４８ｃに作用する水側通水路２４の取付室２４ｃ内の水圧Ｐ１が所定値未満の場合には、調圧ばね５０は軸方向に撓まず、調圧弁体４８も止水栓装置本体３４の回転軸部４２に対して軸方向内側（図５の後側方向）に移動しないようになっている。
一方、調圧弁体４８の受圧部４８ｃが受圧する水圧Ｐ１が所定値以上の場合には、この水圧Ｐ１が調圧弁体４８を軸方向内側（図５の後側方向）に押圧する力が調圧ばね５０の付勢力Ｆ１（図５参照）を上回り、調圧弁体４８が止水栓装置本体３４の回転軸部４２に対して軸方向内側（図５の後側方向）に移動することにより、調圧弁体４８の後端側口縁部４８ｄと水側脚部材２０の止水栓装置本体部との相対的な距離ｄ１を調整し、１次側通水路３０から取付室２４ｃ内の流入口２４ｄを経て水側通水路２４の出口２４ｂから湯水混合水栓装置本体４へ流出する水の圧力が調整されるようになっている。
【００２８】
ここで、図５及び図８は、水圧Ｐ１の中圧時の通水状態の調圧弁３６の調圧弁体４８の軸方向の位置と、この水圧Ｐ１よりも高い水圧Ｐ２の高圧時の通水状態の調圧弁３６の調圧弁体４８の軸方向の位置をそれぞれ示しているが、図８に示す水圧Ｐ２の高圧時の通水状態においては、調圧弁体４８の後端側口縁部４８ｄと水側脚部材２０の止水栓装置本体部３９との相対的な距離ｄ２が、図５に示す水圧Ｐ１の中圧時の調圧弁体４８の後端側口縁部４８ｄと水側脚部材２０の止水栓装置本体部３９との相対的な距離ｄ１よりも小さくなり、調圧弁体４８の後端側口縁部４８ｄと水側脚部材２０の止水栓装置本体部３９との間の流路が狭くなり、調圧弁３６の調圧弁体４８を通過する水の流量が絞られることにより調圧が行われるようになっている。
【００２９】
つぎに、図２、図５及び図６に示すように、止水栓装置本体３４の回転軸部４２は、調圧弁３６の調圧ばね５０の前端部５０ｂが調圧弁体４８の肩部４８ｂ（受圧部４８ｃ）の内面を軸方向外側（図５の前側方向）に付勢しているときに、調圧弁体４８が止水栓装置本体３４の回転軸部４２の前端部近傍位置よりも軸方向外側に移動しないように規制するための移動規制手段である止め環部材５４を備えている。
【００３０】
つぎに、図２〜図５及び図８に示すように、止水栓ガイド部材３８は、水側通水路２４の取付室２４ｃ内に取り付けられた止水栓装置本体３４及び調圧弁３６に軸方向外側から着脱可能に取り付けられる止水栓ガイド部材本体５６と、水側通水路２４の取付室２４ｃ内における調圧弁３６の調圧弁体４８の外周側の２次側通水路３２を取り囲むように止水栓ガイド部材本体５６の後端部の内周面５６ａに着脱可能に取り付けられて水側通水路２４の取付室２４ｃに流入する通水中に含まれるごみをろ過するフィルター部材５８と、止水栓ガイド部材本体５６の内周面の後側に形成された凹部と、この凹部内に配置されて調圧弁３６の調圧弁体４８の側壁部４８ｈを軸方向に摺動可能に保持するＣ型リング６４とを備えている。
【００３１】
止水栓ガイド部材本体５６の外周面には、外周面に形成された雄ねじ５６ｂを備え、この雄ねじ５６ｂは、水側脚部材２０の雌ねじ２０ｄに螺合させるようになっている。
また、止水栓ガイド部材３８は、止水栓ガイド部材本体５６の外周面に取り付ける外側オーリング６０を備え、この外側オーリング６０により、止水栓ガイド部材本体５６の外周面と水側脚部材２０の内周面との隙間が密封されるようになっている。
【００３２】
さらに、止水栓ガイド部材本体５６の内周面は、前側ガイド部５６ｃと、後側ガイド部５６ｄとを備え、前側ガイド部５６ｃは、止水栓ガイド部材本体５６が水側脚部材２０の取付部２０ｃに取り付けられた状態で、止水栓装置本体３４の回転軸部４２の操作部４２ｂと調圧弁３６の調圧弁体４８の首部４８ｅの外周を取り囲み、止水栓装置本体３４の回転軸部４２の操作部４２ｂと調圧弁３６の調圧弁体４８の軸方向の移動をガイドすることができるようになっている。止水栓ガイド部材本体５６の前側ガイド部５６ｃには、その内周面と調圧弁３６の調圧弁体４８の首部４８ｅの外周面との隙間を密封するための内側オーリング６２が設けられている。
また、止水栓ガイド部材本体５６の内周面の後側ガイド部５６ｄは、調圧弁３６の調圧弁体４８の肩部４８ｂから後方の段部４８ｇまで延びる調圧弁体４８の側壁部４８ｈの軸方向の移動をガイドすることができるようになっている。
【００３３】
次に、図５乃至図７により、止水栓ガイド部材本体５６の内周面の後側ガイド部５６ｄについて詳細に説明する。
図６は、図３の水側脚部材のVI−VI断面を示す断面図であり、図７は、本発明の第１実施形態による調圧機能付き止水栓装置の止水栓ガイドのC型リングを正面側斜め上方から見た斜視図である。
止水栓ガイド部材本体５６の後側ガイド部５６ｄには、その内周面が半径方向外側に向かって凹むように形成された凹部６６が形成されている。この凹部６６は、全周にわたる環形状の内側空間を形成し、凹部６６の断面は、内側に向かって開口されたコの字形に形成されている。
止水栓ガイド部材本体５６の後側ガイド部５６ｄの凹部６６には、凹部６６により形成された環状空間とほぼ合致するような環形状に形成されたＣ型リング６４が組合せられている。Ｃ型リング６４には、円環の全周の一部分において切欠きが形成され、Ｃ字形状における開部６４ａが形成されている。
Ｃ型リング６４は、その前側の前面６４ｂと、その後側の後面６４ｃと、その半径方向内側の内周面６４ｄと、その半径方向外側の外周面６４ｅとを備えている。
Ｃ型リング６４は、Ｃ型リング６４が２次側通水路３２から水圧を受ける場合にその前面６４ｂとこの凹部の前方内面６６ａとがほぼ密着するように支持され、その後面６４ｃとこの凹部６６の後方内面６６ｂとの間にはわずかな外周隙間が形成されている。Ｃ型リング６４の内周面６４ｄは、調圧弁３６の調圧弁体４８の側壁部４８ｈと接しながらガイドできるように配置されている。Ｃ型リング６４の外周面６４ｅと凹部内周面６６ｃとの間には、外周隙間６６ｄが形成されている。
【００３４】
Ｃ型リング６４に形成された開部６４ａは、前面６４ｂ側の環全体のうち一部に形成された開口から、後面６４ｃ側の環全体のうち一部に形成された開口まで、後方に向かって直線的に延びる開通路を形成している。
Ｃ型リング６４を凹部６６内に組合せて配置した場合には、Ｃ型リング６４の前面６４ｂが凹部６６の前方内面６６ａに押し付けられて密着する場合、Ｃ型リングの後面６４ｃが凹部６６の後方内面６６ｂに押し付けられて密着する場合、これらの接触領域では通水しにくい状態（通水がほぼシールされるような状態）となり、及び上記のように組合わせ配置されている場合には、Ｃ型リング６４の内周面６４ｄと側壁部４８ｈとの間においては、通水しにくい状態（通水がほぼシールされるような状態）となっている。一方、Ｃ型リング６４の開部６４ａは、通水可能な流路を形成し、この開部６４ａ内の流路が、２次側通水路３２と連通し、受圧部側通水路６８と連通するようになっている。
【００３５】
Ｃ型リング６４の開部６４ａの大きさは、Ｃ型リング６４の前面６４ｂから見て、開部６４ａの開口幅の長さＬ１が約１ｍｍ程度であり、２次側通水路３２内の水圧上昇時に、水が２次側通水路３２から急激に流入するときに、Ｃ型リング６４の開部６４ａ内の流路を一気に通過しにくい抵抗を生じるような大きさ（急激な流量の変化をやわらげて調圧弁体４８の動きにダンパー効果を生じるような大きさ）に形成されている。
従って、Ｃ型リング６４の開部６４ａは、２次側通水路３２から流入する際の流路の大きさに比べて非常に小さい流路を有し、急激な水の流入を防ぐように緩衝してダンパー効果を生じることができる。つまり、２次側通水路３２内の水圧が上昇したときに、Ｃ型リング６４の開部６４ａによって、通過する水の流量を、ある程度抑制した流量とすることができ、結果として調圧弁体４８の急激な移動を抑制することが出来る。
C型リング６４の開部６４ａの形状は、上述のような所定の流量を通過できる流路を形成できるさまざまな形状に変更でき、例えば、前面６４ｂ側の開口から後面６４ｃ側の開口に向かって斜め方向に直線的に延びる隙間（軸線方向から見て半径方向且つ後方に延びる隙間）が形成されていてもよい。
【００３６】
上述した本発明の第１実施形態による調圧機能付き止水栓装置を備えた水栓装置の動作（作用）について説明する。
まず、図４に示すように、止水された状態では、使用者が、止水栓装置本体３４の回転軸部４２の操作部４２ｂのキー溝４２ｃを回転させて、止水栓装置本体３４の回転軸部４２及び雄ねじ部４０が軸方向上流側（後方）に移動され、これにより、止水栓装置本体３４の止水弁体部４４の後側支持突起４４ｂの後端部（回転軸部４２の後端部４２ａ）及びパッキン４６の後端面４６ａが止水栓装置本体部３９に当接して密着し、流入口２４ｄを閉鎖し、１次側通水路３０及び２次側通水路３２が止水された状態となっている。
【００３７】
次に、図５に示すように、中圧時の通水状態について説明する。
止水栓装置本体３４の止水弁体部４４によって、流入口２４ｄが開放された状態では、一次側通水路３０内の水は、止水栓装置本体３４の雄ねじ部４０の内周面４０ｃによって形成される流路を通過して流入口２４ｄを経て取付室２４ｃ内に流れ込む。そして、この取付室２４ｃ内に流れ込んだ水は、調圧弁体４８の外側からフィルター部材５８を通過して、２次側通水路３２へ流出する。２次側通水路３２へ流出する水のうち一部は、２次側通水路３２からC型リング６４の開部６４ａ内の流路を通過して受圧部側通水路６８に出入りできる。
【００３８】
このとき、図５に示すように、取付室２４ｃ内において、調圧弁３６の調圧弁体４８の受圧部４８ｃが受圧部側通水路の水から受圧する水圧Ｐ１が所定値以上に達すると、この水圧Ｐ１が調圧弁体４８を軸方向内側（図５の後側方向）に押圧する力が調圧ばね５０の付勢力Ｆ１を上回り、調圧弁体４８が止水栓装置本体３４の回転軸部４２に対して軸方向内側（図５の後側方向）に移動し、調圧弁体４８の後端側口縁部４８ｄと水側脚部材２０の止水栓装置本体部３９との相対的な距離ｄ１が調整され、一次側通水路３０から取付室２４ｃ内の流入口２４ｄを経て水側通水路２４の出口２４ｂから湯水混合水栓装置本体４へ流出する水の圧力が調整される。
【００３９】
一方、調圧弁３６の調圧弁体４８の受圧部４８ｃで受圧した水圧Ｐ１が所定値未満である場合には、調圧弁体４８から調圧ばね５０の軸方向に作用する圧縮荷重も所定値未満となり、調圧ばね５０は軸方向に圧縮されることなく調圧弁体４８の後端側口縁部４８ｄと水側脚部材２０の止水栓装置本体部３９との相対的な距離は、図５に示す水圧Ｐ１の中圧時の調圧弁体４８の後端側口縁部４８ｄと水側通水路２４の止水栓装置本体部３９との相対的な距離ｄ１よりも大きくなる。
【００４０】
さらに、図８に示すように、高圧時の通水状態について説明する。
２次側通水路３２内の水圧が上昇する場合には、水が２次側通水路３２からＣ型リング６４の開部６４ａ内の流路を通過して受圧部側通水路６８に流入する。水が受圧部側通水路６８に流入すると受圧部側通水路６８が調圧弁３６の調圧弁体４８の受圧部４８ｃに対して軸方向内側に及ぼす力が増大する。調圧弁３６の調圧弁体４８の受圧部４８ｃが受圧する水圧Ｐ２が図５に示す中圧時の通水状態の水圧Ｐ１よりも高い高圧時の通水状態となると、調圧弁体４８の後端側口縁部４８ｄと水側脚部材２０の止水栓装置本体部３９との相対的な距離ｄ２が、図５に示す水圧Ｐ１の中圧時の調圧弁体４８の後端側口縁部４８ｄと水側脚部材２０の止水栓装置本体部３９との相対的な距離ｄ１よりも小さくなり、調圧弁体４８の後端側口縁部４８ｄと水側脚部材２０の止水栓装置本体部３９との間の流路が狭くなり、調圧弁３６の調圧弁体４８を通過する水の流量が絞られることにより調圧が行われる。
【００４１】
さらに、図５の中圧時の通水状態から急激に水圧が上昇して、図８の高圧時の通水状態に変化する場合について説明する。
２次側通水路３２内の水圧が急激に上昇する場合には、水が２次側通水路３２からＣ型リング６４の開部６４ａ内の流路を急激に通過しようとする。
水は、２次側通水路３２から止水栓ガイド部材本体５６の後側ガイド部５６ｄと調圧弁３６の調圧弁体４８の側壁部４８ｈとの間をＣ型リング６４の環状の後面６４ｃに向かって流入する。Ｃ型リング６４の後面６４ｃは、流入してきた水が衝突するので水の抵抗力を受け、更に、Ｃ型リング６４の開部６４ａの周辺の後面６４ｃは、開部６４ａに急激に流入する水による圧力を受け、Ｃ型リング６４の開部６４ａは、流入してきた水を通水させるので水の抵抗力を受けないようになっており、Ｃ型リング６４は、Ｃ型リング６４の全周において不均一に圧力を受ける（歪な抵抗による力を受ける）。Ｃ型リング６４が受けた力（歪な抵抗により生じる力）は、Ｃ型リング６４の前面６４ｂが押し付けられて支持される凹部６６の前方内面６６ａへと伝達され、調圧弁体４８に伝達されないようになっている。
【００４２】
２次側通水路３２内の水圧が急激に上昇する場合に、２次側通水路３２から流入してくる水は、Ｃ型リング６４の前面６４ｂと凹部６６の前方内面６６ａとの間及びＣ型リング６４と調圧弁体４８の側壁部４８ｈとの間において流れが遮られ、Ｃ型リング６４の開部６４ａに流入しようとするが、Ｃ型リング６４の開部６４ａの大きさは限られているので、抵抗を受けて急激に流入することができず、緩やかな流量の変化に抑えられながらＣ型リング６４の開部６４ａを通過する。
Ｃ型リング６４の開部６４ａを通過した水は、受圧部側通水路６８に流入する。水が、受圧部側通水路６８内に急激に流入することなく、開部６４ａで水流抵抗を受けながら、穏やかな流れで流入するので、受圧部側通水路６８の水圧を受けて受圧される受圧部４８ｃは急激に加圧されず、急激な作動が抑制される。従って、調圧弁体４８は穏やかな移動速度の範囲の変化で軸方向内側に移動されて止水栓装置本体部３９との相対的な距離を調整することができ、調圧弁体４８が急激に作動され、高い移動速度を有することによって、調圧弁体４８の後端側口縁部４８ｄが、過度に移動して止水栓装置本体部３９と衝突して衝突音を生じるのが抑制されている。
さらに、調圧弁体４８が軸線方向に摺動移動する場合に、Ｃ型リング６４からＣ型リング６４が全周に不均一に受けている水圧による力を止水栓ガイド部材本体５６に伝え、調圧弁体４８に伝達しないので、調圧弁体４８がＣ型リング６４からの力を受けて傾けられ、摺動移動の際に振動を引き起こされることなく、前後方向に直線的に摺動移動しながら調圧を行うようになっている。
【００４３】
調圧が行われた後、通水状態の２次側通水路３２内の水は、水側脚部材２０の下流側接続部２８（湯水混合水栓装置本体４の水側流入部８）から湯水混合水栓装置本体４内に流れ込み、この本体４内で湯側脚部材１８から流れ込んだ湯と混合される。この湯水混合水栓装置本体４内で湯水が混合される際、温度調節装置１４によって混合された湯水の温度が調整され、その後、スパウト１０の吐水口１０ａまたはシャワーホース１２へ送られて吐水される。
【００４４】
上述した本発明の第１実施形態の調圧機能付き止水栓装置１によれば、止水栓ガイド部材本体５６の凹部６６内に配置されたＣ型リング６４により、Ｃ型リング６４には、調圧弁体４８が調圧を行う２次側通水路３２と受圧部４８ｃが受圧される受圧部側通水路６８との間を通水可能な開部６４ａ内の流路が、全周の一部に形成されているので、２次側通水路３２内の水圧が上昇して、水が調圧弁体４８が調圧を行う２次側通水路３２から受圧部４８ｃが受圧される受圧部側通水路６８に流入するときに、水が全周の一部に形成された上記流路を通過するのに抵抗を受ける。従って、水の急激な移動が抑制され、水が受圧部４８ｃが受圧される受圧部側通水路６８に急激に流入して調圧弁体４８の受圧部４８ｃが流入した水の圧力を受圧し、調圧弁体４８の急激な動作を抑制し、調圧弁体４８が過度に移動して止水栓装置本体３９と衝突して衝突音が生じるのを抑制することができる。
さらに、Ｃ型リング６４は止水栓ガイド部材本体５６の凹部６６内に配置されるので、Ｃ型リング６４が、水が全周の一部に形成された開部６４ａ内の流路を通過するときにＣ型リング６４の全周に均一でない水圧を受け、この受けた圧力を止水栓ガイド部材本体５６に伝え、調圧弁体４８には伝えないので、調圧弁体４８が、Ｃ型リング６４から力を受けて、調圧弁体４８自身が傾き、調圧弁体４８の摺動の際に振動を引き起こすなどの悪影響を抑制することができる。
【００４５】
また、本実施形態の調圧機能付き止水栓装置１によれば、調圧弁体４８が移動する際に、調圧弁体４８の後端側口縁部４８ｄにおいて周方向に張り出したフランジ４８ｆによって、流体抵抗を発生させることが可能になり、調圧弁体４８が急激に動作するのをさらに抑制させることができる。フランジ４８ｆは１次側通水路３０から近いので水流の抵抗を受けやすくなっている。
【００４６】
さらに、本実施形態の調圧機能付き止水栓装置１によれば、調圧機能付き止水栓装置１を備えた水栓装置２において、調圧弁体４８が急激な動作で過度に移動して止水栓装置本体部３９と衝突して衝突音を生じるウォーターハンマー現象の低減を行うことができる。
【００４７】
また、本実施形態の調圧機能付き止水栓装置１を備えた湯水混合水栓装置２によれば、湯水混合水栓装置２に供給される湯と水のそれぞれの供給圧力が大きく異なる場合であっても、調圧機能付き止水栓装置１の調圧弁３６を通過する水の圧力がほぼ一定に調整されるため、湯水混合水栓装置２に供給された湯水が所定の設定温度とほぼ等しい温度に調節され、湯水混合水栓装置２のスパウト１０から適温な湯水を吐水することができる。
【００４８】
つぎに、図９及び図１０を参照して、本発明の第２実施形態による調圧機能付き止水栓装置を備えた水栓装置について説明する。
図９は本発明の第２実施形態による低圧状態の調圧機能付き止水栓装置を備えた水栓装置の水側脚部材の平面断面図であり、図１０は本発明の第２実施形態による調圧機能付き止水栓装置の止水栓ガイドの円環部材を正面側斜め上方から見た斜視図である。
ここで、図９及び図１０において、本発明の第１実施形態による調圧機能付き止水栓装置を備えた水栓装置と同一の部分については同一の符号を付し、それらの説明は省略する。
【００４９】
図９に示すように、本発明の第２実施形態による調圧機能付き止水栓装置１００においては、止水栓装置本体３４及び調圧弁３６が、上述した本発明の第１実施形態の調圧機能付き止水栓装置１の止水栓装置本体３４及び調圧弁３６と同一の構成を備え、第１実施形態の調圧機能付き止水栓装置１の止水栓ガイド部材本体１５６の後側ガイド部１５６ｄが第１実施形態による調圧機能付き止水栓装置１と異なっている。
【００５０】
本発明の第２実施形態による調圧機能付き止水栓装置１００を備えた水栓装置である湯水混合水栓装置１０２によれば、止水栓ガイド部材１３８は、止水栓ガイド部材本体１５６の内周面の後側に形成された凹部１６６と、この凹部１６６内に配置されて調圧弁３６の調圧弁体４８の側壁部４８ｈを軸方向に摺動可能に保持する円環部材１６４と、この凹部１６６の後方の面を形成し凹部１６６内に配置される円環部材１６４を閉止するストッパー部１７０と、を備えている。
【００５１】
図９に示すように、止水栓ガイド部材本体１５６の後側ガイド部１５６ｄの凹部１６６には、凹部１６６により形成された環状空間とほぼ合致するような環形状に形成された円環部材１６４が組合せられている。
円環部材１６４には、円環の全周の一部分において、内周面上において外方向に突出するように形成された円環凹部（薄肉部）１６４ａが形成され、円環凹部１６４ａが通水可能な流路を形成している。
円環部材１６４は、その前側の前面１６４ｂと、その後側の後面１６４ｃと、その半径方向内側の内周面１６４ｄと、その半径方向外側の外周面１６４ｅとを備えている。円環部材１６４は、その前面１６４ｂとこの凹部１６６の前方内面１６６ａとがほぼ合致して支持されている。
円環部材１６４の内周面１６４ｄは、調圧弁３６の調圧弁体４８の側壁部４８ｈと接しながらガイドできるように配置されている。円環部材１６４の外周面１６４ｅと凹部内周面１６６ｃとの間には、外周隙間が形成されている。
【００５２】
円環部材１６４に形成された円環凹部１６４ａは、前面１６４ｂ側の円環全体のうち一部から、後面１６４ｃ側の円環全体のうち一部まで、後方に向かって直線的に延びる開通路を形成している。
一方、円環部材１６４の円環凹部１６４ａは、通水可能な流路を形成し、この開部内の流路が、２次側通水路３２と連通し、受圧部側通水路６８と連通するようになっている。
円環部材１６４の円環凹部１６４ａの大きさは、２次側通水路３２内の水圧上昇により、水が２次側通水路３２から急激に流入するときに、円環凹部１６４ａ内の流路を一気に通過しにくい抵抗を生じるような大きさに形成されている。従って、円環部材１６４の円環凹部１６４ａは、２次側通水路３２からの流路の大きさに比べて非常に小さい流路を有し、急激な水の流入を防ぐように緩衝するダンパー効果を生じることができる。つまり、２次側通水路３２内の水圧が上昇したときに、円環部材１６４の円環凹部１６４ａによって、通過する水の流量を、ある程度抑制した流量とすることができ、結果として調圧弁体４８の急激な移動を抑制することができる。
【００５３】
止水栓ガイド部材本体１５６のストッパー部１７０は、凹部１６６の後方側且つ円環部材１６４後方側において、調圧弁体４８の径より大きい径から止水栓ガイド部材本体１５６の内周面の内径まで延びる環形状に形成されている。止水栓ガイド部材本体１５６のストッパー部１７０は、止水栓ガイド部材本体１５６の後側ガイド部１５６ｄの凹部１６６内に円環部材１６４が配置された後、円環部材１６４を凹部１６６と組み合わさった状態で固定するように取付けられ、円環部材１６４は、その後面１６４ｃとストッパー部１７０のストッパー部前面１７０ａとがほぼ合致して支持されている。
【００５４】
円環部材１６４が凹部１６６内に配置された後、止水栓ガイド部材本体１５６の内周面とは別部材となっているストッパー部１７０により円環部材１６４を固定できるので、円環部材１６４の取り付けが簡単となり、円環部材１６４を円環部材１６４の直径を変えずに凹部１６６内に取付けることができ、凹部１６６内への取付けが容易になる。
【００５５】
上述した本発明の第２実施形態による調圧機能付き止水栓装置を備えた水栓装置の動作（作用）について説明する。
図９の低圧時の通水状態から急激に水圧が上昇して、高圧時の通水状態に変化する場合について説明する。
２次側通水路３２内の水圧が急激に上昇する場合には、水が２次側通水路３２から円環部材１６４の円環凹部１６４ａ内の流路を急激に通過しようとする。
水は、２次側通水路３２からストッパー部１７０と調圧弁３６の調圧弁体４８の側壁部４８ｈとの間を円環部材１６４の環状の後面１６４ｃに向かって流入する。円環部材１６４の後面１６４ｃは、流入してきた水が衝突するので水の抵抗力を受け、更に、円環部材１６４の円環凹部１６４ａの周辺の後面１６４ｃは、円環凹部１６４ａに急激に流入する水による圧力を受け、円環部材１６４の円環凹部１６４ａは、流入してきた水を通水させるので水の抵抗力を受けないようになっている。従って、円環部材１６４は、円環部材１６４の全周において不均一に圧力を受ける。円環部材１６４が受けた力は、円環部材１６４の前面１６４ｂが押し付けられて支持される凹部１６６の前方内面１６６ａへと伝達され、調圧弁体４８に伝達されにくくなっている。
【００５６】
２次側通水路３２内の水圧が急激に上昇する場合に、２次側通水路３２から流入してくる水は、円環部材１６４の前面１６４ｂと凹部１６６の前方内面１６６ａとの間及び円環部材１６４の内周面１６４ｄと調圧弁体４８の側壁部４８ｈとの間において流れが遮られ、円環部材１６４の円環凹部１６４ａに流入しようとするが、円環部材１６４の円環凹部１６４ａの大きさは限られているので、抵抗を受けて急激に流入することができず、緩やかな流量の変化に抑えられながら円環部材１６４の円環凹部１６４ａを通過する。
円環部材１６４の円環凹部１６４ａを通過した水は、受圧部側通水路６８に流入する。水が、受圧部側通水路６８内に急激に流入することなく、円環凹部１６４ａで水流抵抗を受けながら、穏やかな流れで流入するので、受圧部側通水路６８の水圧を受けて受圧される受圧部４８ｃは急激に加圧されず、急激に作動されることがない。従って、調圧弁体４８は穏やかな移動速度の範囲の変化で軸方向内側に移動されて水側脚部材２０の止水栓装置本体部３９との相対的な距離を調整することができ、調圧弁体４８が急激に動作して、高い移動速度を有することによって、調圧弁体４８の後端側口縁部４８ｄが、過度に移動して止水栓装置本体部３９と衝突して衝突音を生じるのが防がれている。
さらに、調圧弁体４８が軸線方向に摺動移動する場合に、円環部材１６４から円環部材１６４が不均一に受けている力を調圧弁体４８に伝達しにくくなっているので、調圧弁体４８が傾けられたり、摺動移動の際に振動を引き起こされることなく、前後方向に直線的に摺動移動しながら調圧を行うようになっている。
【００５７】
上述した本発明の第２実施形態の調圧機能付き止水栓装置１００によれば、止水栓ガイド部材本体１５６の凹部１６６内に配置された円環部材１６４により、円環部材１６４の円環凹部１６４ａ内には、調圧弁体４８が調圧を行う２次側通水路３２と受圧部４８ｃが受圧される受圧部側通水路６８との間を通水可能な円環凹部１６４ａ内の流路が、全周の一部に形成されているので、２次側通水路３２内の水圧が上昇して、水が調圧弁体４８が調圧を行う２次側通水路３２から受圧部４８ｃが受圧される受圧部側通水路６８に流入するときに、水が円環部材１６４の全周の一部に形成された円環凹部１６４ａ内の上記流路を通過するのに抵抗を受ける。従って、水の急激な移動が抑制され、水が受圧部４８ｃが受圧される受圧部側通水路６８に急激に流入して調圧弁体４８の受圧部４８ｃを受圧し、調圧弁体４８が急激に動作するのを抑制し、調圧弁体４８が過度に移動して止水栓装置本体部３９と衝突して衝突音を生じるのを抑制することができる。
さらに、円環部材１６４は止水栓ガイド部材本体１５６の凹部１６６内に配置されるので、円環部材１６４が、水が全周の一部に形成された円環凹部１６４ａ内の流路を通過するときに円環部材１６４の全周に均一でない水圧を受け、この受けた圧力を止水栓ガイド部材本体１５６に伝え、調圧弁体４８には伝えないので、調圧弁体４８が、円環部材１６４から力を受けて、調圧弁体４８自身が傾き、調圧弁体４８の摺動の際に振動を引き起こすなどの悪影響を抑制することができる。
【００５８】
つぎに、図１１乃至図１３を参照して、本発明の第３実施形態による調圧機能付き止水栓装置を備えた水栓装置について説明する。
図１１は、本発明の第３実施形態による低圧状態の調圧機能付き止水栓装置を備えた水栓装置の水側脚部材の平面断面図であり、図１２は、本発明の第３実施形態による調圧機能付き止水栓装置の止水栓ガイドの溝部を後方側斜め上方から見た斜視図であり、図１３は、本発明の第３実施形態による調圧機能付き止水栓装置の止水栓ガイドの環状部材を後方側から見た平面図である。
ここで、図１１乃至図１３において、本発明の第１及び第２実施形態による調圧機能付き止水栓装置を備えた水栓装置と同一の部分については同一の符号を付し、それらの説明は省略する。
【００５９】
図１１乃至図１３に示すように、本発明の第３実施形態による調圧機能付き止水栓装置２００においては、止水栓装置本体３４及び調圧弁３６が、上述した本発明の第２実施形態の調圧機能付き止水栓装置１００の止水栓装置本体３４及び調圧弁３６と同一の構成を備え、第２実施形態の調圧機能付き止水栓装置１００の止水栓ガイド部材本体１５６の後側ガイド部１５６ｄの凹部１６６及び円環部材１６４が第２実施形態による調圧機能付き止水栓装置１００と異なっている。
【００６０】
図１１乃至図１３に示すように、本発明の第３実施形態による調圧機能付き止水栓装置２００によれば、止水栓ガイド部材２３８の止水栓ガイド部材本体２５６の後側ガイド部２５６ｄは、止水栓ガイド部材本体２５６の内周面の後側に形成され且つ前方側に形成された溝部２７２を有する凹部２６６と、この凹部２６６内に配置されて調圧弁３６の調圧弁体４８の側壁部４８ｈを軸方向に摺動可能に保持する円環部材２６４とを備えている。
【００６１】
止水栓ガイド部材本体２５６の後側ガイド部２５６ｄの凹部２６６の前方内面２６６ａ上には、円環の全周の一部分において、後側ガイド部２５６ｄの内周面から凹部内周面２６６ｃまで半径方向外側に向かう溝部２７２が形成されている。
円環部材２６４は、全周にわたって同じ幅と厚みを有しているリング形状の円環部材２６４であり、その前側の前面２６４ｂと、その後側の後面２６４ｃと、その半径方向内側の内周面２６４ｄと、その半径方向外側の外周面２６４ｅとを備えている。円環部材２６４は、その全周の一部に通水可能な流路を有するように凹部や開部を形成していなくてもよい。
円環部材２６４が２次側通水路３２から水圧を受ける場合にその前面２６４ｂとこの凹部２６６の前方内面２６６ａとがほぼ密着するように支持され、そのときに溝部２７２と円環部材２６４の前面２６４ｂとの間に、通水可能な流路を形成する。
円環部材２６４は、その後面２６４ｃとストッパー部１７０との間にはわずかな隙間が形成されている。円環部材２６４の外周面２６４ｅと凹部内周面２６６ｃとの間には、外周隙間２６６ｄが形成されている。
この凹部２６６内に、円環部材２６４を配置した状態において、この溝部２７２内の流路が受圧部側通水路６８と外周隙間２６６ｄと連通し、外周隙間２６６ｄが後面２６４ｃとストッパー部１７０との間のわずかな後方隙間２６６ｆを介して２次側通水路３２と連通するようになっている。
凹部２６６の溝部２７２内の流路の大きさは、２次側通水路３２内の水圧上昇時に、水が２次側通水路３２から急激に流入するときに、溝部２７２内の流路を一気に通過しにくい抵抗を生じるような大きさに形成されている。
従って、凹部２６６の溝部２７２は、２次側通水路３２からの流路の大きさに比べて小さい流路を有し、急激な水の流入を防ぐように緩衝するダンパー効果を生じることができる。つまり、２次側通水路３２内の水圧が上昇したときに、凹部２６６の溝部２７２によって、通過する水の流量を、ある程度抑制した流量とすることができ、結果として調圧弁体４８の急激な移動を抑制することができる。
凹部２６６の溝部２７２の形状や大きさは、上述のような所定の流量を通過できる流路を形成できるように変更できる。
【００６２】
上述した本発明の第３実施形態による調圧機能付き止水栓装置を備えた水栓装置の動作（作用）について説明する。
図１１の低圧時の通水状態から急激に水圧が上昇して、高圧時の通水状態に変化する場合について説明する。
２次側通水路３２内の水圧が急激に上昇する場合には、水が２次側通水路３２から後側ガイド部２５６ｄの溝部２７２内の流路を急激に通過しようとする。
水は、２次側通水路３２からストッパー部１７０と調圧弁３６の調圧弁体４８の側壁部４８ｈとの間をリング形状の円環部材２６４の環状の後面２６４ｃに向かって流入する。円環部材２６４の後面２６４ｃに流入してきた水が衝突し、水は、後面２６４ｃとストッパー部１７０との間のわずかな後方隙間２６６ｆを通過して外周隙間２６６ｄに流れ、外周隙間２６６ｄから溝部２７２内の流路に流入し、溝部２７２内の流路から受圧部側通水路６８に流出する。
円環部材２６４の後面２６４ｃは、流入してきた水が衝突するので水の抵抗力を受け、更に、凹部２６６の前方内面２６６ａの全周の一部に形成された溝部２７２に急激に水が流入するので、円環部材２６４は、円環部材２６４の全周において不均一に圧力を受ける。円環部材２６４が受けた力は、円環部材２６４の前面２６４ｂが押し付けられて支持される凹部２６６の前方内面２６６ａへと伝達され、調圧弁体４８に伝達されないようになっている。
【００６３】
２次側通水路３２内の水圧が急激に上昇する場合に、２次側通水路３２から流入してくる水は、円環部材２６４の前面２６４ｂと凹部２６６の前方内面２６６ａとが密封されている部分及び円環部材２６４と調圧弁体４８の側壁部４８ｈとの間の部分において流れが遮られ、凹部２６６の前方内面２６６ａの溝部２７２に流入しようとするが、溝部２７２の大きさは限られているので、一度に流入しようとしても抵抗を受けて急激に流入することができず、溝部２７２を通過する流量が、緩やかな流量の変化に抑えられながら凹部２６６の前方内面２６６ａの溝部２７２を通過する。
凹部２６６の前方内面２６６ａの溝部２７２を通過した水は、受圧部側通水路６８に流入する。水が、受圧部側通水路６８内に急激に流入することなく、溝部２７２で水流抵抗を受けながら、穏やかな流れで流入するので、受圧部側通水路６８の水圧を受けて受圧される受圧部４８ｃは急激に加圧されず、急激に作動されることがない。従って、調圧弁体４８は穏やかな移動速度の範囲の変化で軸方向内側に移動されて水側脚部材２０の止水栓装置本体部３９との相対的な距離を調整することができ、調圧弁体４８が急激に動作して、高い移動速度を有することによって、調圧弁体４８の後端側口縁部４８ｄが、過度に移動して止水栓装置本体部３９と衝突して衝突音を生じるのが防がれている。
さらに、調圧弁体４８が軸線方向に摺動移動する場合に、円環部材２６４から円環部材２６４が不均一に受けている力を調圧弁体４８に伝達しにくくなっているので、調圧弁体４８が傾けられたり、摺動移動の際に振動を引き起こされることなく、前後方向に直線的に摺動移動しながら調圧を行うようになっている。
【００６４】
上述した本発明の第３実施形態調圧機能付き止水栓装置２００によれば、止水栓ガイド部材本体２５６の凹部２６６内に円環部材２６４が配置され、凹部２６６の前方内面２６６ａ上には円環の全周の一部分において溝部２７２が形成され、凹部２６６には、調圧弁体４８が調圧を行う２次側通水路３２と受圧部４８ｃが受圧される受圧部側通水路６８との間を通水可能な溝部２７２内の流路が、凹部２６６と円環部材２６４との間の全周の一部に形成されているので、２次側通水路３２内の水圧が上昇して、水が調圧弁体４８が調圧を行う２次側通水路３２から受圧部４８ｃが受圧される受圧部側通水路６８に流入するときに、水が凹部２６６の前方内面２６６ａ上の溝部２７２内の上記流路を通過するのに抵抗を受ける。従って、水の急激な移動が抑制され、水が受圧部４８ｃが受圧される受圧部側通水路６８に急激に流入して調圧弁体４８の受圧部４８ｃを受圧し、調圧弁体４８が急激に動作するのを抑制し、調圧弁体４８が過度に移動して止水栓装置本体部３９と衝突して衝突音を生じるのを抑制することができる。
さらに、円環部材２６４は止水栓ガイド部材本体２５６の凹部２６６内に配置されるので、円環部材２６４が、水が全周の一部に形成された凹部２６６の前方内面２６６ａ上の溝部２７２内の流路を通過するときに円環部材２６４の全周に均一でない水圧を受け、この受けた圧力を止水栓ガイド部材本体２５６に伝え、調圧弁体４８には伝えないので、調圧弁体４８が、円環部材２６４から力を受けて、調圧弁体４８自身が傾き、調圧弁体４８の摺動の際に振動を引き起こすなどの悪影響を抑制することができる。
【００６５】
つぎに、図１４乃至図２０を参照して、本発明の第４実施形態による調圧機能付き止水栓装置を備えた水栓装置について説明する。
図１４は本発明の第４実施形態による調圧機能付き止水栓装置を備えた水栓装置の水側脚部材の一部の分解斜視図であり、図１５は本発明の第４実施形態による調圧機能付き止水栓装置を備えた水栓装置の水側脚部材の一部の部分概略斜視図であり、図１６は本発明の第４実施形態による中圧時の通水状態の調圧機能付き止水栓装置を備えた水栓装置の水側脚部材の部分を拡大した部分拡大断面図であり、図１７は本発明の第４実施形態による調圧機能付き止水栓装置の止水栓弁座部材を正面側斜め下方から見た斜視図であり、図１８は本発明の第４実施形態による調圧機能付き止水栓装置の止水栓弁座部材の側面図であり、図１９は図１８の止水栓弁座部材のXIX−XIX断面を示す断面図であり、図２０は本発明の第４実施形態による高圧時の通水状態の調圧機能付き止水栓装置を備えた水栓装置の水側脚部材の部分を拡大した部分拡大断面図である。
ここで、図１４〜図２０において、本発明の第１及び第４実施形態による調圧機能付き止水栓装置を備えた水栓装置と同一の部分については同一の符号を付し、それらの説明は省略する。
【００６６】
図１４〜図１６に示すように、本発明の第４実施形態による調圧機能付き止水栓装置３００においては、上述した本発明の第１実施形態の調圧機能付き止水栓装置１と同一の構成を備え、調圧機能付き止水栓装置１の湯水混合水栓装置２の水側脚部材２０及び/又は湯側脚部材１８の構造が第１実施形態による調圧機能付き止水栓装置１と異なっている。
【００６７】
図１４〜図１６に示すように、本発明の第４実施形態による調圧機能付き止水栓装置３００においては、水側脚部材３２０の水側通水路３２４は、水道等の給水源（図示せず）に接続される配管（図示せず）に接続される水側脚部材３２０の上流側接続部３２６に形成された入口３２４ａから、湯水混合水栓装置本体（図示せず）の水側流入部（図示せず）に接続される水側脚部材３２０の下流側接続部３２８に形成された出口３２４ｂまで、水側脚部材３２０の内部にＬ字形状に曲がって形成されている。
また、この水側通水路３２４は、その入口３２４ａから調圧機能付き止水栓装置３００が取り付けられる取付室３２４ｃまで延びる１次側通水路３３０と、水側通水路３２４の取付室３２４ｃから下流側に向って水側脚部材３２０の正面３２０ａ及び背面３２０ｂとほぼ平行に前方の出口３２４ｂに向って延びる２次側通水路３３２とを備えている。２次側通水路３３２には、２次側通水路３３２に流入する通水中に含まれるごみをろ過するフィルター部材３５８と、フィルター部材３５８の基部に配置されたフィルター基部パッキン３５９が設けられている。
【００６８】
つぎに、図１４に示すように、調圧機能付き止水栓装置３００は、水側通水路３２４の取付室３２４ｃを形成する水側脚部材３２０の所定の取付部３２０ｃに取り付けられ、上流側から下流側にかけて止水栓弁座部材３３４、調圧弁３３６及び止水栓ガイド部材３３８を備えている。
【００６９】
図１４〜図１６に示すように、止水栓弁座部材３３４は、水側通水路３２４の取付室３２４ｃの流入口３２４ｄ前方から上流側の１次側通水路３３０の内周に沿って形成されている。
止水栓弁座部材３３４は、水側通水路３２４の取付室３２４ｃの流入口３２４ｄ近傍から上流側の１次側通水路３３０の内周に沿って形成されて調圧弁体３４８が当接して流入口３２４ｄを閉止するようになっている弁座基部３４０を備えている。この弁座基部３４０は、水側通水路３２４の取付室３２４ｃの流入口３２４ｄが開放された通水状態のときに、一次側通水路３３０と取付室３２４ｃとを連通させる通水路を形成している。止水栓弁座部材３３４は劣化しにくい材料である樹脂により形成されている。止水弁座部材３３４の弁座基部３４０には、後述するばね室３５２内と外気を通気させるための通気孔３４１が形成され、この通気孔３４１が止水栓弁座部材３３４の外側の外部通気孔３２０ｄまで延びている。弁座基部３４０の外周には、水側脚部材３２０と弁座基部３４０との間をシールするパッキン３４５が備えられ、弁座基部３４０と上流側接続部３２６の間をシールするパッキン３４７が備えられている。
また、止水栓弁座部材３３４は、弁座基部３４０の中央後方から前方方向へ壁状に立ち上がって弁座基部３４０より前方まで軸線方向に沿って延びる軸壁部３４２と、軸壁部３４２と一体且つ軸壁部３４２の前端から半径方向外側に突出するような傘形状に形成されたガイド部３４４とを備え、このガイド部３４４は、前後方向に所定間隔をおいて半径方向外側に突出するように形成されて調圧弁体３４８の摺動をガイドする前側ガイド３４４ａと、自身の前面において調圧ばね３５０を支持する前面支持部を有し且つ前側ガイド３４４ａの後方側で調圧弁体３４８の摺動をガイドする後側ガイド３４４ｂと、これらの前側ガイド３４４ａと後側ガイド３４４ｂとの間に取り付けられて保持される円環状のシール部材であるパッキン３４６とを備えている。
一方、図１６及び図２０に示すように、調圧弁３３６が開いているときには、水側通水路３２４の１次側通水路３３０と２次側通水路３３２とが通水された状態となり、後述する調圧弁３３６の調圧弁体３４８がパッキン３４６の外周面３４６ｂに対して軸方向に摺動可能となるようになっている。
なお、止水栓弁座部材３３４のガイド部３４４は、軸壁部３４２と接続されていない状態の別部材として形成されていてもよい。
【００７０】
調圧弁３３６は、止水栓弁座部材３３４の軸壁部３４２に対して軸方向に移動可能に取り付けられた調圧弁体３４８と、この調圧弁体３４８を軸方向外側（図５の前側方向）に付勢する調圧ばね３５０とを備えている。なお、「軸方向外側」とは、調圧弁体３４８が流入口２４ｄを開放する方向、すなわち、止水栓装置本体３４の柱部の軸方向において、流入口３２４ｄから離間する方向を意味する。
調圧弁体３４８は、止水栓弁座部材３３４のガイド部３４４及び調圧ばね３５０のそれぞれの外周を取り囲むようにほぼ筒状に形成され、その内部に設けられた調圧ばね３５０が軸方向に伸縮して作動するためのばね室３５２を形成している。
調圧弁体３４８は厚さの薄い金属板で形成されているので、調圧弁体３４８の環状端部の後方側の後端側口縁部３４８ｄが、流水から圧力を受ける面積を比較的小さな面積とでき、流水からの圧力を受けにくい大きさに形成されている。
調圧ばね３５０は、予め所定の圧縮荷重（予荷重）を与えられた状態で調圧ばね３５０の後端部３５０ａが止水栓弁座部材３３４のガイド部３４４の前側ガイド３４４ａに当接し、調圧ばね３５０の前端部３５０ｂが調圧弁体３４８の前端部３４８ｆの内面に当接している。
【００７１】
また、図１６に示すように、調圧弁体３４８の前端部３４８ｆの前面は、調圧弁体３４８が水側通水路３２４の取付室３２４ｃの流入口３２４ｄを開放した通水状態のときに、調圧弁体３４８を止水栓弁座部材３３４の軸壁部３４２に沿って軸方向内側（図１６の後側方向）に移動させる水圧Ｐ３を外側から軸方向内側に受ける受圧部３４８ｃとなっている。
例えば、調圧弁体３４８の受圧部３４８ｃに作用する水側通水路３２４の取付室３２４ｃ内の水圧Ｐ３が所定値未満の場合には、調圧ばね３５０は軸方向に撓まず、調圧弁体３４８も止水栓弁座部材３３４の弁座基部３４０に対して軸方向内側（図１６の後側方向）に移動しないようになっている。
一方、調圧弁体３４８の受圧部３４８ｃが受圧する水圧Ｐ３が所定値以上の場合には、この水圧Ｐ３が調圧弁体３４８を軸方向内側（図１６の後側方向）に押圧する力が調圧ばね５０の付勢力Ｆ３（図１６参照）を上回り、調圧弁体３４８が止水栓弁座部材３３４の弁座基部に対して軸方向内側（図１６の後側方向）に移動することにより、調圧弁体３４８の後端側口縁部３４８ｄと止水栓弁座部材３３４の弁座基部３４０との相対的な距離ｄ３を調整し、一次側通水路３３０から取付室３２４ｃ内の流入口３２４ｄを経て水側通水路３２４の出口３２４ｂから湯水混合水栓装置本体（図示せず）へ流出する水の圧力が調整されるようになっている。
【００７２】
ここで、図１６及び図２０は、水圧Ｐ３の低圧時の通水状態の調圧弁３３６の調圧弁体３４８の軸方向の位置と、この水圧Ｐ３よりも高い水圧Ｐ４の高圧時の通水状態の調圧弁３３６の調圧弁体３４８の軸方向の位置をそれぞれ示しているが、図２０に示す水圧Ｐ４の高圧時の通水状態においては、調圧弁体３４８の後端側口縁部３４８ｄと弁座基部との相対的な距離ｄ４が、図１６に示す水圧Ｐ３の低圧時の調圧弁体３４８の後端側口縁部３４８ｄと弁座基部との相対的な距離ｄ３よりも小さくなり、調圧弁体３４８の後端側口縁部３４８ｄと弁座基部３４０との間の流路が狭くなり、調圧弁３３６の調圧弁体３４８を通過する水の流量が絞られることにより調圧が行われるようになっている。
【００７３】
つぎに、図１４〜図１６及び図２０に示すように、止水栓ガイド部材３３８は、水側通水路３２４の取付室３２４ｃ内の前面側に取り付けられ、水側脚部材３２０と螺合し、止水栓弁座部材３３４との間において調圧弁３３６を前後方向に摺動可能にガイドする止水栓ガイド部材本体３５６と、止水栓ガイド部材本体３５６の内周面の一方に形成された凹部と、この凹部内に配置されて調圧弁３３６の調圧弁体３４８の側壁部３４８ｈを軸方向に摺動可能に保持するＣ型リング６４とを備えている。
【００７４】
止水栓ガイド部材３３８は、止水栓ガイド部材本体３５６の外周面に取り付ける外側オーリング３６０を備え、この外側オーリング３６０により、止水栓ガイド部材本体３５６の外周面と水側脚部材３２０の内周面との隙間が密封されるようになっている。
【００７５】
止水栓ガイド部材本体３５６は、その前端部が、調圧機能付き止水栓装置３００の長手方向の中心軸線Ｃの軸線回りに回転操作可能な操作部３５６ｂを形成し、この操作部３５６ｂには、キー溝３５６ｃが形成され、このキー溝３５６ｃにマイナスドライバー等の工具（図示せず）を嵌め込んで回すことにより、中心軸線Ｃの軸線回りの回転に応じて弁座基部３４０の方向に軸方向に相対移動することにより、止水栓ガイド部材本体３５６の後方側に接している調圧弁体３４８を弁座基部３４０上まで移動させて流入口３２４ｄを開閉することができるようになっている。
【００７６】
さらに、止水栓ガイド部材本体３５６は、調圧弁３３６の調圧弁体３４８の肩部３４８ｂの前方から凸部の前方を覆うように、中央が凹んでいる円筒形に形成され、止水栓ガイド部材本体３５６は、水側脚部材３２０の取付部３２０ｃに取り付けられた状態で、調圧弁３３６の調圧弁体３４８の凸部３４８ｅの前方側外周を取り囲み、調圧弁３３６の調圧弁体３４８の軸方向の移動をガイドすることができるようになっている。
【００７７】
次に、図１４乃至図１６により、止水栓ガイド部材本体３５６について詳細に説明する。
止水栓ガイド部材本体３５６には、その内周面が半径方向外側に向かって凹むように形成された凹部３６６が形成され、この凹部３６６には、凹部３６６により形成された環状空間とほぼ合致するような環形状に形成されたＣ型リング６４が組合せられている。
Ｃ型リング６４の内周面は、調圧弁３３６の調圧弁体３４８の側壁部３４８ｈと接しながらガイドできるように配置されている。
一方、Ｃ型リング６４の開部６４ａは、通水可能な流路を形成し、この開部内の流路が、２次側通水路３３２と連通し、受圧部側通水路３６８と連通するようになっている。
Ｃ型リング６４の開部６４ａの大きさは、Ｃ型リング６４の前面から見て、開部の開口幅の長さＬが約１ｍｍ程度であり、２次側通水路内の水圧上昇時に、水が２次側通水路３３２から急激に受圧部側通水路３６８に流入するときに、Ｃ型リング６４の開部６４ａ内の流路を一気に通過しにくい抵抗を生じるような大きさ（急激な流量の変化をやわらげて調圧弁体４８の動きにダンパー効果を生じるような大きさ）に形成されている。
従って、Ｃ型リング６４の開部６４ａは、２次側通水路３３２から流入する際の流路の大きさに比べて非常に小さい流路を有し、急激な水の流入を防ぐように緩衝するダンパー効果を生じることができる。つまり、２次側通水路３３２内の水圧が上昇したときに、Ｃ型リング６４の開部６４ａによって、通過する水の流量を、ある程度抑制した流量とすることができ、結果として調圧弁体３４８の急激な移動を抑制することができる。
【００７８】
次に、図１６乃至図１９により、止水弁座部材について詳細に説明する。
止水栓弁座部材３３４の後側ガイド３４４ｂは、さらに、その後側において水流をガイドする水流ガイド面３４４ｃと、その半径方向の外周端において調圧弁体の摺動をガイドする弁体ガイド部３４４ｄとが形成されている。
止水栓弁座部材３３４の後側ガイド３４４ｂの水流ガイド面３４４ｃは、円周上に形成された弁体ガイド部３４４ｄよりも半径方向内側に形成されている。
止水栓弁座部材３３４には、弁座基部３４０内に止水栓弁座部材３３４の軸線方向に沿って軸線方向流路３４０ａが形成され、後側ガイド３４４ｂの水流ガイド面３４４ｃは、この軸線方向流路３４０ａからの流入方向正面を覆うように形成されている。軸線方向流路３４０ａの流入口は、流入口３２４ｄを形成している。
軸線方向流路３４０ａの流入口幅Ｗ１は、後側ガイド３４４ｂの水流ガイド面３４４ｃのガイド面幅Ｗ２よりも小さく設定されている。
従って、軸線方向流路３４０ａの流入口３２４ｄの位置は、止水栓弁座部材３３４の後側ガイド３４４ｂの弁体ガイド部３４４ｄよりも半径方向内側に位置決めされ、弁体ガイド部３４４ｄの半径方向外側を摺動する調圧弁体３４８と対向しない位置に配置されている。よって、軸線方向流路３４０ａの流入口３２４ｄから流入する水が、流入方向を維持したまま、調圧弁体３４８に直接対向して衝突しないように設定されている。
【００７９】
止水栓弁座部材３３４には、軸線方向に延びる軸壁部３４２と、半径方向に延びる水流ガイド面３４４ｃとにより、流路がＬ字形に屈曲する屈曲流路部３４０ｂが形成され、さらに、２つの半円形の水流ガイド面３４４ｃと、弁座基部３４０のほぼ環状の上面３４０ｃとの間において、半円形の円周に沿った形状の止水弁座流出路３４０ｄが形成されている。
調圧弁体３４８は、弁座基部３４０の上面３４０ｃよりやや外側に着座するように設けられているので、止水弁座流出路３４０ｄからの水の流出方向は、調圧弁体３４８の摺動する摺動方向に対してほぼ垂直な方向となっている。
【００８０】
つぎに、上述した本発明の第４実施形態による調圧機能付き止水栓装置を備えた水栓装置の動作（作用）について説明する。
まず、使用者が、止水栓ガイド部材３３８を操作して止水している状態について説明する。
使用者が、止水栓ガイド部材３３８の操作部３５６ｂのキー溝３５６ｃにマイナスドライバー等の工具（図示せず）を嵌め込んで回すことにより、中心軸線Ｃの軸線回りの回転に応じて止水栓ガイド部材３３８を弁座基部３４０の方向に軸方向に相対移動させ、止水栓ガイド部材本体３５６の後方側に接している調圧弁体３４８を弁座基部３４０上に当接して密着させ、流入口３２４ｄを閉鎖し、１次側通水路３０及び２次側通水路３２が止水された状態となる。
【００８１】
次に、通水路が止水されていない状態において、調圧弁体が通水路の圧力を調整している調圧状態について説明する。
図１６に示すように、中圧時の通水状態について説明する。
調圧弁３３６の調圧弁体３４８が、弁座基部３４０を開放し、流入口３２４ｄが開放された状態では、一次側通水路３３０内の水は、１次側通水路３３０から弁座基部３４０内の軸線方向流路３４０ａに流入し、軸壁部３４２に沿って軸線方向に流れ、流入口３２４ｄから屈曲流路部３４０ｂに流入する。屈曲流路部３４０ｂ内に軸線方向に沿って流入してきた水は、流入口３２４ｄの正面に設けられている水流ガイド面３４４ｃに衝突し、水流の向きを水流ガイド面３４４ｃに沿った軸線方向から半径方向外側に流出する向きにほぼ直角に変える。この水流は止水弁座流出路３４０ｄから半径方向外側向きに流出する流れを形成する。この流れによって水が止水栓弁座部材３３４により形成された流路を通過して流入口３２４ｄを経て取付室３２４ｃ内に流れ込むようになっている。そして、この取付室３２４ｃ内に流れ込んだ水は、２次側通水路３３２へ流出する。２次側通水路３３２へ流出する水のうち一部は、２次側通水路３３２からC型リング６４の開部６４ａ内の流路を通過して受圧部側通水路３６８に出入りできる。
【００８２】
このとき、図１６に示すように、取付室３２４ｃ内において、調圧弁３３６の調圧弁体３４８の受圧部３４８ｃが受圧部側通水路３６８の水から受圧する水圧Ｐ３が所定値以上に達すると、この水圧Ｐ３が調圧弁体３４８を軸方向内側（図１６の後側方向）に押圧する力が調圧ばね３５０の付勢力Ｆ３を上回り、調圧弁体３４８が止水栓弁座部材３３４のガイド部３４４に対して軸方向内側（図１６の後側方向）に移動する。このとき、止水弁座流出路３４０ｄからの水の流出方向は、調圧弁体３４８の摺動する摺動方向に対してほぼ垂直な方向となっており、調圧弁体３４８は、水流の流れる向きに正面から対向して移動せず、水流を垂直に横断するように水流から大きな抵抗力を受けずに移動する。調圧弁体３４８が水の流れる向きに対し垂直に横断する方向に摺動するので、水の流れる向きに対し対向する方向に摺動する場合と比べて、水流から押されにくく、調圧弁体が水流から受ける抵抗力が小さくされている。調圧弁体３４８が軸方向内側に移動すると、調圧弁体３４８の後端側口縁部３４８ｄと止水栓弁座部材３３４の弁座基部３４０との相対的な距離ｄ３が調整され、１次側通水路３３０から取付室３２４ｃ内の流入口３２４ｄを経て水側通水路３２４の出口３２４ｂから湯水混合水栓装置本体（図示せず）へ流出する水の圧力が調整される。
【００８３】
一方、調圧弁３３６の調圧弁体３４８の受圧部３４８ｃで受圧した水圧Ｐ３が所定値未満である場合には、調圧弁体３４８から調圧ばね３５０の軸方向に作用する圧縮荷重も所定値未満となり、調圧ばね３５０は軸方向に圧縮されることなく調圧弁体３４８の後端側口縁部３４８ｄと止水栓弁座部材３３４の弁座基部３４０との相対的な距離は、図１６に示す水圧Ｐ３の中圧時の調圧弁体３４８の後端側口縁部３４８ｄと止水栓弁座部材３３４の弁座基部３４０との相対的な距離ｄ３よりも大きくなる。
【００８４】
さらに、図２０に示すように、高圧時の通水状態について説明する。
２次側通水路３３２内の水圧が上昇する場合には、水が２次側通水路３３２からＣ型リング６４の開部６４ａ内の流路を通過して受圧部側通水路３６８に流入する。水が受圧部側通水路３６８に流入すると受圧部側通水路３６８が調圧弁３３６の調圧弁体３４８の受圧部３４８ｃに対して軸方向内側に及ぼす力が増大する。調圧弁３３６の調圧弁体３４８の受圧部３４８ｃが受圧する水圧Ｐ４が図１６に示す中圧時の通水状態の水圧Ｐ３よりも高い高圧時の通水状態となると、調圧弁体３４８の後端側口縁部３４８ｄと止水栓弁座部材３３４の弁座基部３４０との相対的な距離ｄ４が、図１６に示す水圧Ｐ３の中圧時の調圧弁体３４８の後端側口縁部３４８ｄと止水栓弁座部材３３４の弁座基部３４０との相対的な距離ｄ３よりも小さくなり、調圧弁体３４８の後端側口縁部３４８ｄと止水栓弁座部材３３４の弁座基部３４０との間の流路が狭くなり、調圧弁３３６の調圧弁体３４８を通過する水の流量が絞られることにより調圧が行われる。
【００８５】
さらに、図１６の中圧時の通水状態から急激に水圧が上昇して、図２０の高圧時の通水状態に変化する場合について説明する。
２次側通水路３３２内の水圧が急激に上昇する場合には、水が２次側通水路３３２からＣ型リング６４の開部６４ａ内の流路を急激に通過しようとする。
水は、２次側通水路３３２から止水栓ガイド部材本体３５６と調圧弁３３６の調圧弁体３４８の側壁部３４８ｈとの間をＣ型リング６４の環状の後面６４ｃに向かって流入する。Ｃ型リング６４の後面６４ｃは、流入してきた水が衝突するので水の抵抗力を受け、更に、Ｃ型リング６４の開部６４ａの周辺の後面６４ｃは、開部６４ａに急激に流入する水による圧力を受け、Ｃ型リング６４の開部６４ａは、流入してきた水を通水させるので水の抵抗力を受けないようになっている。従って、Ｃ型リング６４は、Ｃ型リング６４の全周において不均一に圧力を受ける。Ｃ型リング６４が受けた力は、Ｃ型リング６４の前面６４ｂが押し付けられて支持される凹部３６６の前方内面６６ａへと伝達され、調圧弁体３４８に伝達されないようになっている。
【００８６】
２次側通水路３３２内の水圧が急激に上昇する場合に、２次側通水路３３２から流入してくる水は、Ｃ型リング６４の前面６４ｂと凹部３６６の前方内面３６６ａとの間及びＣ型リング６４と調圧弁体３４８の側壁部３４８ｈとの間において流れが遮られ、Ｃ型リング６４の開部６４ａに流入しようとするが、Ｃ型リング６４の開部６４ａの大きさは限られているので、抵抗を受けて急激に流入することができず、緩やかな流量の変化に抑えられながらＣ型リング６４の開部６４ａを通過する。
Ｃ型リング６４の開部６４ａを通過した水は、受圧部側通水路３６８に流入する。水が、受圧部側通水路６８内に急激に流入することなく、開部６４ａで水流抵抗を受けながら、穏やかな流れで流入するので、受圧部側通水路３６８の水圧を受けて受圧される受圧部３４８ｃは急激に加圧されず、急激に作動されるのが抑制される。従って、調圧弁体４８は穏やかな移動速度の範囲の変化で軸方向内側に移動されて止水栓弁座部材３３４の弁座基部３４０との相対的な距離を調整することができ、調圧弁体３４８が高い移動速度を有することによって、調圧弁体３４８の後端側口縁部３４８ｄが、過度に移動して弁座基部３４０と衝突して衝突音を生じるのが防がれている。
さらに、調圧弁体３４８が軸線方向に摺動移動する場合に、Ｃ型リング６４からＣ型リング６４が不均一に受けている力を調圧弁体３４８に伝達しないので、調圧弁体３４８がＣ型リング６４からの力を受けて傾けられ、摺動移動の際に振動を引き起こされることなく、前後方向に直線的に摺動移動しながら調圧を行うようになっている。
【００８７】
上述した本発明の第４実施形態の調圧機能付き止水栓装置３００によれば、止水栓ガイド部材本体３５６の凹部３６６内に配置されたＣ型リング６４により、Ｃ型リング６４には、調圧弁体３４８が調圧を行う２次側通水路３３２と受圧部３４８ｃが受圧される受圧部側通水路３６８との間を通水可能な開部６４ａ内の流路が、全周の一部に形成されているので、２次側通水路３３２内の水圧が上昇して、水が調圧弁体３４８が調圧を行う２次側通水路３３２から受圧部３４８ｃが受圧される受圧部側通水路３６８に流入するときに、水が全周の一部に形成された開部６４ａ内の上記流路を通過するのに抵抗を受ける。従って、水の急激な移動が抑制され、水が受圧部３４８ｃが受圧される受圧部側通水路３６８に急激に流入して調圧弁体３４８の受圧部３４８ｃを受圧し、調圧弁体３４８が急激に動作するのを抑制し、調圧弁体３４８が過度に移動して止水栓弁座部材３３４の弁座基部３４０と衝突して衝突音を生じるのを抑制することができる。
さらに、Ｃ型リング６４は止水栓ガイド部材本体３５６の凹部３６６内に配置されるので、Ｃ型リング６４が、水が全周の一部に形成された開部６４ａ内の流路を通過するときにＣ型リング６４の全周に均一でない水圧を受け、この受けた圧力を止水栓ガイド部材本体３５６に伝え、調圧弁体３４８には伝えないので、調圧弁体３４８が、Ｃ型リング６４から力を受けて、調圧弁体３４８自身が傾き、調圧弁体３４８の摺動の際に振動を引き起こすなどの悪影響を抑制することができる。
【００８８】
なお、上述した本発明の第１〜第４実施形態による調圧機能付き止水栓装置を備えた水栓装置においては、例として、湯水混合水栓装置であるサーモスタット混合栓に適用した形態ついて説明したが、このような形態に限定されず、例えば、湯水混合水栓装置については、サーモスタット混合栓以外にも、吐水及び止水を切り替える開閉弁について湯側用と水側用を共用するシングルレバータイプの混合栓や、開閉弁を湯側用と水側用で別々に設けた２ハンドルタイプの混合栓等に適用してもよい。あるいは、単水栓等にも適用してもよい。
【符号の説明】
【００８９】
１            止水栓装置
２            湯水混合水栓装置
３２          ２次側通水路
３４          止水栓装置本体
３６          調圧弁
３８          止水栓ガイド部材
３９          止水栓装置本体部
４８          調圧弁体
４８ｃ        受圧部
４８ｆ        フランジ
５６          止水栓ガイド部材本体
５８          フィルター部材
６４          Ｃ型リング
６４ａ        開部
６６          凹部
６８          受圧部側通水路
１００        止水栓装置
１３８        止水栓ガイド部材
１５６        止水栓ガイド部材本体
１６４        円環部材
１６４ａ      円環凹部
１６６        凹部
１７０        ストッパー部
２００        止水栓装置
２３８        止水栓ガイド部材
２５６        止水栓ガイド部材本体
２６４        円環部材
２６６        凹部
２７２        溝部
３００        止水栓装置
３３２        ２次側通水路
３３４        止水栓弁座部材
３３６        調圧弁
３３８        止水栓ガイド部材
３４０        弁座基部
３４８        調圧弁体
３４８ｃ      受圧部
３５６        止水栓ガイド部材本体
３６６        凹部
３６８        受圧部側通水路
Ｃ            中心軸線
ｄ１          距離
ｄ２          距離
ｄ３          距離
ｄ４          距離
Ｆ１          付勢力
Ｆ３          付勢力
Ｐ１          水圧
Ｐ２          水圧
Ｐ３          水圧
Ｐ４          水圧
Ｗ１          流入口幅
Ｗ２          ガイド面幅
【図１】
0005995185.tif 000002
【図２】
0005995185.tif 000003
【図３】
0005995185.tif 000004
【図４】
0005995185.tif 000005
【図５】
0005995185.tif 000006
【図６】
0005995185.tif 000007
【図７】
0005995185.tif 000008
【図８】
0005995185.tif 000009
【図９】
0005995185.tif 000010
【図１０】
0005995185.tif 000011
【図１１】
0005995185.tif 000012
【図１２】
0005995185.tif 000013
【図１３】
0005995185.tif 000014
【図１４】
0005995185.tif 000015
【図１５】
0005995185.tif 000016
【図１６】
0005995185.tif 000017
【図１７】
0005995185.tif 000018
【図１８】
0005995185.tif 000019
【図１９】
0005995185.tif 000020
【図２０】
0005995185.tif 000021